(57)【要約】【課題】譜面台そのものを置き台として機能させ、もってこの譜面台とは別の置き台を使用する必要をなくして、この別の置き台などの、譜面台を使用する場所にあるものの制約をなくすことができる譜面台の提供。【解決手段】譜面台１０は、楽譜９１を保持可能な保持部１１から延びだされて荷重を支持する支柱部１２と、支柱部１２から突出した第１の突出体２０および第２の突出体３０と、その荷重を支持する石突２１Ｃ（第１の支持部）および石突３１Ｃ（第２の支持部）と、第１の突出体２０と第２の突出体３０との間に架け渡され、他の物品９２が載せられる棚部１３とを備える。【選択図】図１
2020178911.tif 000002
【特許請求の範囲】
【請求項１】
載置体の上に載せられた状態で使用される譜面台において、
楽譜を保持することが可能な保持部と、
前記保持部から下方に延びだされた軸形状をなし、この軸形状における下部が前記載置体に載ることで前記保持部からの荷重を支持する支柱部と、
前記支柱部から当該支柱部の軸形状の径方向に突出した状態となるように設けられる第１の突出体と、
前記第１の突出体とは別に、前記支柱部から当該支柱部の軸形状の径方向に突出した状態となるように設けられる第２の突出体と、
前記第１の突出体に設けられて、前記載置体に載ることで前記第１の突出体からの荷重を支持する第１の支持部と、
前記第２の突出体に設けられて、前記載置体に載ることで前記第２の突出体からの荷重を支持する第２の支持部と、
前記第１の突出体と前記第２の突出体との間に水平方向の広がりを有するように架け渡されることで、他の物品を載せることが可能とされる棚部と、
を備えている、
譜面台。
【請求項２】
請求項１に記載された譜面台であって、
前記譜面台のぐらつきをおさえるおもしが存在する場合に、このおもしを、前記第１の支持部、前記第２の支持部、および、前記支柱部の前記下部に囲まれて設定される水平方向の広がりにおける幾何中心の位置にセットすることを可能とするセット構造を備えている、
譜面台。
【請求項３】
請求項１または請求項２に記載された譜面台であって、
前記第１の突出体および前記第２の突出体のうちの少なくとも一方を、前記支柱部に対して回動させる変形が可能とされている、
譜面台。
【請求項４】
請求項３に記載された譜面台であって、
前記変形は、前記第１の突出体および前記第２の突出体のうちの少なくとも一方を、前記支柱部に対してその軸形状の軸周方向に回動させるものであり、
さらに、前記第１の突出体および前記第２の突出体のそれぞれに対して着脱可能に取り付けられることで、当該第２の突出体の前記第１の突出体に対する前記軸周方向の相対的な回動位置を固定する剛性を発揮する剛性体を１つ以上備えている、
譜面台。
【請求項５】
請求項４に記載された譜面台であって、
前記剛性体のうちの１つが前記棚部である、
譜面台。
【請求項６】
請求項４または請求項５に記載された譜面台であって、
前記剛性体のうちの１つが、前記棚部の下方となる位置にて前記第１の突出体および前記第２の突出体に取り付けられる、
譜面台。
【請求項７】
請求項１ないし請求項６のうちのいずれか１項に記載された譜面台であって、
前記第１の突出体および前記第２の突出体のうちの少なくとも一方が、空間を囲む構造を有するフレームによって構成されている、
譜面台。
【請求項８】
請求項７に記載された譜面台であって、
前記フレームに、当該フレームを補強するすじかいが設けられている、
譜面台。
【請求項９】
請求項１ないし請求項８のうちのいずれか１項に記載された譜面台であって、
前記第１の突出体は、水平に延びる辺をなす第１の取り付け部を有し、
前記第２の突出体は、前記第１の取り付け部と上下方向で見て同じ位置で水平に延びる辺をなす第２の取り付け部を有し、
前記棚部は、前記第１の取り付け部にて前記第１の突出体に取り付けられ、かつ、前記第２の取り付け部にて前記第２の突出体に取り付けられる、
譜面台。
【発明の詳細な説明】
【技術分野】
【０００１】
本発明は、譜面台に関する。
【背景技術】
【０００２】
音楽を演奏する場合、音域がそれぞれ異なる複数の楽器を用意して、これらの楽器を演奏中に持ち替えることがある。この持ち替えは、例えばオカリナやハンドベルなど、演奏される音楽の音域よりも狭い音域の楽器を演奏に用いる場合、あるいは、多数の楽器を使用するオーケストラにおいて、演奏者が複数の楽器の掛け持ちをする場合にしばしば行われる。これらの場合において、持ち替えの対象となる楽器は演奏者の近くに置かれるが、この楽器の持ち替えを容易にすべく、複数の楽器を安定的に載せることができる置き台を、譜面台に保持される楽譜の直下に設置したいとするニーズがあった。
【０００３】
譜面台に保持される楽譜の直下に置き台が設置された状態となる技術としては、例えば下記の特許文献１に開示された技術が知られている。この技術においては、譜面台が取り付けられたシャコ万力でテーブルの甲板を挟むことで、このテーブルに対して譜面台を固定し、もって譜面台に保持される楽譜の直下に置き台が設置された状態とする。
【先行技術文献】
【特許文献】
【０００４】
【特許文献１】実用新案登録第３２１１４０５号公報
【発明の概要】
【発明が解決しようとする課題】
【０００５】
しかし、上記特許文献１に開示された従来の技術は、置き台のサイズおよび形状ならびに譜面台の設置場所が、この譜面台を使用する場所に用意されているテーブルによる制約を受けるものであった。
【０００６】
本発明は、譜面台そのものを置き台として機能させ、もってこの譜面台とは別の置き台を使用する必要をなくして、この別の置き台などの、譜面台を使用する場所にあるものの制約をなくすことを可能とするものである。
【課題を解決するための手段】
【０００７】
本発明における１つの特徴によると、載置体の上に載せられた状態で使用される譜面台が提供される。この譜面台は、楽譜を保持することが可能な保持部を備えている。また、譜面台は、保持部から下方に延びだされた軸形状をなし、この軸形状における下部が載置体に載ることで保持部からの荷重を支持する支柱部を備えている。また、譜面台は、支柱部からこの支柱部の軸形状の径方向に突出した状態となるように設けられる第１の突出体を備えている。また、譜面台は、第１の突出体とは別に、支柱部からこの支柱部の軸形状の径方向に突出した状態となるように設けられる第２の突出体を備えている。また、譜面台は、第１の突出体に設けられて、載置体に載ることで第１の突出体からの荷重を支持する第１の支持部を備えている。また、譜面台は、第２の突出体に設けられて、載置体に載ることで第２の突出体からの荷重を支持する第２の支持部を備えている。また、譜面台は、第１の突出体と第２の突出体との間に水平方向の広がりを有するように架け渡されることで、他の物品を載せることが可能とされる棚部を備えている。
【０００８】
上記の譜面台は、その棚部に他の物品が載せられたときに、この物品の荷重を第１の支持部および第２の支持部ならびに支柱部の３つにより安定的に支持する。したがって、譜面台を、その棚部を甲板とした置き台として機能させ、もってこの譜面台とは別の置き台を使用する必要をなくして、この別の置き台などの、譜面台を使用する場所にあるものの制約をなくすことができる。
【０００９】
上記の譜面台における好ましい実施形態は、譜面台のぐらつきをおさえるおもしが存在する場合に、このおもしを第１の支持部、第２の支持部、および、上記支柱部の下部に囲まれて設定される水平方向の広がりにおける幾何中心の位置にセットすることを可能とするセット構造を備えている。
【００１０】
この場合、譜面台のセット構造におもしをセットすることで、このおもしと譜面台とからなる系の質量中心を、この系において荷重を支持する第１の支持部および第２の支持部ならびに支柱部の下部の３つに囲まれる水平方向の広がりにおける幾何中心に近づけることができる。したがって、上記おもしにこのおもしと譜面台とからなる系のすわりをよくする機能を発揮させ、もって譜面台を転倒しにくくすることができる。
【００１１】
上記実施形態とは別の、上記の譜面台における好ましい実施形態では、第１の突出体および第２の突出体のうちの少なくとも一方を、支柱部に対して回動させる変形が可能とされている。
【００１２】
この場合、譜面台において支柱部から突出される第１の突出体あるいは第２の突出体が邪魔になる場合に、この第１の突出体あるいは第２の突出体が邪魔になりにくくなるように譜面台を変形させることができる。
【００１３】
上記実施形態においては、上記変形は、第１の突出体および第２の突出体のうちの少なくとも一方を、支柱部に対してその軸形状の軸周方向に回動させるものであることが好ましい。この場合においては、譜面台は、さらに、第１の突出体および第２の突出体のそれぞれに対して着脱可能に取り付けられることで、この第２の突出体の第１の突出体に対する上記軸周方向の相対的な回動位置を固定する剛性を発揮する剛性体を１つ以上備えている。
【００１４】
この場合、譜面台を使用しないときにおいて、その剛性体を取り外して第１の突出体あるいは第２の突出体を回動させることで、譜面台の全体をより平面に近い形状に変形させ、もって譜面台を収納する際の利便性を向上させることができる。また、譜面台を使用するときには、剛性体の取り付けにより上記第１の突出体あるいは第２の突出体の回動を抑制し、もって置き台の甲板として機能される棚部のぐらつきを抑えることができる。
【００１５】
上記の場合においては、剛性体のうちの１つが棚部であるものが好ましい。
【００１６】
この場合、譜面台を使用するときに置き台の甲板となる棚部のぐらつきを抑制する機能を棚部自体に実現させることで、譜面台の部品の点数を減らし、もって譜面台の構成をよりシンプルなものにすることができる。
【００１７】
上記の場合においては、剛性体のうちの１つが、棚部の下方となる位置にて第１の突出体および第２の突出体に取り付けられるものも好ましい。
【００１８】
この場合、棚部の上に他の物品を載せるときに、剛性体が邪魔になる可能性を減らすことができる。
【００１９】
上記実施形態とは別の、上記の譜面台における好ましい実施形態では、第１の突出体および第２の突出体のうちの少なくとも一方が、空間を囲む構造を有するフレームによって構成されている。
【００２０】
この場合、第１の突出体あるいは第２の突出体をフレームによって構成して空間を囲む構造を備えさせることで、譜面台の軽量化を図ることができる。
【００２１】
また、上記の場合には、フレームに、このフレームを補強するすじかいが入れられているものがより好ましい。
【００２２】
この場合、棚部に載せられた物品の荷重がかかる第１の突出体あるいは第２の突出体の強度をすじかいによって向上させ、もって譜面台において置き台として機能される部分の耐荷重性能を向上させることができる。
【００２３】
上記各実施形態とは別の、上記の譜面台における好ましい実施形態では、第１の突出体は、水平に延びる辺をなす第１の取り付け部を有する。また、第２の突出体は、第１の取り付け部と上下方向で見て同じ位置で水平に延びる辺をなす第２の取り付け部を有している。また、棚部は、第１の取り付け部にて第１の突出体に取り付けられ、かつ、第２の取り付け部にて第２の突出体に取り付けられる。
【００２４】
この場合、譜面台において棚部が取り付けられる部分の不陸をなくして、この不陸を調整するための部材を省略することができる。
【発明の効果】
【００２５】
本発明の譜面台は、譜面台そのものを置き台として機能させ、もってこの譜面台とは別の置き台を使用する必要をなくして、この別の置き台などの、譜面台を使用する場所にあるものの制約をなくすことができる。
【図面の簡単な説明】
【００２６】
【図１】本発明の第１の実施形態にかかる譜面台１０の使用状態を表した斜視図である。
【図２】図１の譜面台１０において剛性体１０Ａおよび棚部１３を外した状態を表した正面図である。
【図３】図２のＩＩＩ−ＩＩＩ線断面矢視図である。
【図４】図２のＩＶ−ＩＶ線断面矢視図である。
【図５】図３のＶ−Ｖ線断面矢視図であり、図３では仮想線で表した棚部１３を実線で表す。
【図６】図４のＶＩ−ＶＩ線断面矢視図であり、図４では仮想線で表した剛性体１０Ａを実線で表す。
【図７】図２の保持部１１を表した拡大正面図である。
【図８】図１の棚部１３を表した拡大平面図である。
【図９】図１の棚部１３を表した拡大底面図である。
【図１０】本発明の第２の実施形態にかかる譜面台４０の使用状態を表した斜視図である。
【図１１】図１０の棚部４３の変形例である棚部７３の使用状態を表した斜視図である。
【図１２】本発明の第３の実施形態にかかる譜面台８０の使用状態を表した斜視図である。
【図１３】図１２の譜面台８０を表した正面図である。
【図１４】図１３のＸＩＶ−ＸＩＶ線断面矢視図である。
【図１５】図１３のＸＶ−ＸＶ線断面矢視図である。
【図１６】図１４のＸＶＩ−ＸＶＩ線断面矢視図である。
【図１７】図１５のＸＶＩＩ−ＸＶＩＩ線断面矢視図である。
【図１８】本発明の第４の実施形態にかかる譜面台１２０を表した要部拡大背面図である。
【図１９】図１８のＸＩＸ−ＸＩＸ線断面矢視図である。
【図２０】本発明の第５の実施形態にかかる譜面台１５０を表した要部拡大背面図である。
【図２１】図２０のＸＸＩ−ＸＸＩ線断面矢視図である。
【発明を実施するための形態】
【００２７】
〈第１の実施形態〉
始めに、本発明の第１の実施形態にかかる譜面台１０の構成について、図１ないし図９を用いて説明する。なお、以下においては、上下、前後、左右の各方向を、譜面台１０の使用状態における楽譜９１（図１参照）から見た上下、前後、左右によって記載する。
【００２８】
譜面台１０は、図１に示すように、譜面台１０が使用される場所の床あるいは地面を載置体９０として、この載置体９０の上に載せられた状態で使用される譜面台である。この譜面台１０は、楽譜９１を保持することが可能な保持部１１と、この保持部１１から下方に延びだされた軸形状をなす支柱部１２とを備えている。
【００２９】
保持部１１は、後傾した状態で上下方向に延びるように配された固定節１１Ｃと、この固定節１１Ｃの左右に配された６節のリンク機構１１Ａ、１１Ｂとを備えて、このリンク機構１１Ａ、１１Ｂに楽譜９１をもたれかからせて保持することができるように構成されている。また、保持部１１は、図７に示すように、そのリンク機構１１Ａ、１１Ｂを固定節１１Ｃに沿うように変形させ、もって保持部１１を折りたたまれた状態とすることができるように構成されている。
【００３０】
支柱部１２は、図１および図２に示すように、固定節１１Ｃの下端から下方に延びる軸をなす上部１２Ａを、上側に開口したパイプの形状を呈する下部１２Ｂ（図３参照）に対して、上側から抜き差し可能に差し込んで固定することで、上記軸形状をなしている。また、支柱部１２は、その下部１２Ｂの下端が石突をなすように形成されて、この下端が載置体９０の上に載ることで、支柱部１２の自重および保持部１１からの荷重を支持することができるようになっている。
【００３１】
また、支柱部１２の下部１２Ｂには、図１ないし図３に示すように、この支柱部１２の軸形状の径方向に突出された第１の突出体２０および第２の突出体３０が設けられている。この第１の突出体２０および第２の突出体３０は、互いに別のものとされて、それぞれがちょうつがい２０Ａ、３０Ａを介して支柱部１２の下部１２Ｂに取り付けられている。これにより、第１の突出体２０および第２の突出体３０は、それぞれが支柱部１２に対してその軸形状の軸周方向（図３参照）に独立して回動し、もって譜面台１０の変形を実現させることが可能とされている。なお、ちょうつがい２０Ａ、３０Ａは、その羽根が対象物にねじ止めされるタイプのちょうつがい、羽根が対象物に対してかしめにより固定されるタイプのちょうつがいであるかしめちょうばん、および、対象物に対して羽根が冶金的接合法により固定されるタイプのちょうつがいである溶接ちょうばんのいずれであってもよい。
【００３２】
第１の突出体２０は、図２に示すように、それぞれが直線状に延びだされる２本の横架部２１Ａ、２１Ｄと、同じく直線状に延びだされる１本のたてかまち２１Ｂとをねじ止めして組み合わせた、空間を囲む構造を有するフレーム２１によって構成されている。各横架部２１Ａ、２１Ｄは、支柱部１２の下部１２Ｂにおいて上下方向に並ぶ２つのちょうつがい２０Ａから、それぞれ水平方向に同じ長さだけ延びだされる。本実施形態においては、横架部２１Ａ、２１Ｄは、長尺の直方体形状をなす板として形成され、この直方体形状において比較的幅の広い側面が水平方向を向く（図５および図６を参照）ように配される。
【００３３】
また、たてかまち２１Ｂは、図２に示すように、２本の横架部２１Ａ、２１Ｄの各先端をつないで上下方向に延び、その下端に石突２１Ｃが設けられた構成となっている。この石突２１Ｃは、載置体９０に載ることで第１の突出体２０からの荷重を支持する第１の支持部として機能するものである。
【００３４】
また、フレーム２１において上側に位置される横架部２１Ａと下側に位置される横架部２１Ｄとの間には、図１および図２に示すように、これらの横架部２１Ａ、２１Ｄをたてかまち２１Ｂとは別につなぐすじかい２０Ｂが設けられている。このすじかい２０Ｂは、横架部２１Ｄにおけるちょうつがい２０Ａ側の端部と横架部２１Ａにおけるたてかまち２１Ｂ側の端部との間に架け渡されることで、フレーム２１を補強する。
【００３５】
第２の突出体３０は、図２に示すように、それぞれが直線状に延びだされる２本の横架部３１Ａ、３１Ｄと、同じく直線状に延びだされる１本のたてかまち３１Ｂとをねじ止めして組み合わせた、空間を囲む構造を有するフレーム３１によって構成されている。各横架部３１Ａ、３１Ｄは、支柱部１２の下部１２Ｂにおいて上下方向に並ぶ２つのちょうつがい３０Ａから、それぞれ水平方向に同じ長さだけ延びだされる。本実施形態においては、横架部３１Ａ、３１Ｄは、長尺の直方体形状をなす板として形成され、この直方体形状において比較的幅の広い側面が水平方向を向くように配される。
【００３６】
また、たてかまち３１Ｂは、２本の横架部３１Ａ、３１Ｄの各先端をつないで上下方向に延び、その下端に石突３１Ｃが設けられた構成となっている。この石突３１Ｃは、載置体９０に載ることで第２の突出体３０からの荷重を支持する第２の支持部として機能するものである。
【００３７】
また、フレーム３１において上側に位置される横架部３１Ａと下側に位置される横架部３１Ｄとの間には、図１および図２に示すように、これらの横架部３１Ａ、３１Ｄをたてかまち３１Ｂとは別につなぐすじかい３０Ｂが設けられている。このすじかい３０Ｂは、横架部３１Ｄにおけるちょうつがい３０Ａ側の端部と横架部３１Ａにおけるたてかまち３１Ｂ側の端部との間に架け渡されることで、フレーム３１を補強する。
【００３８】
ところで、フレーム２１において上側に位置される横架部２１Ａとフレーム３１において上側に位置される横架部３１Ａは、図２に示すように、その上下方向で見た位置が同じとなる辺をなすようにされている。また、これらの横架部２１Ａと横架部３１Ａとの間には、図１および図３に示すように、棚部１３が着脱可能（図１参照）に架け渡されている。この棚部１３は、横架部２１Ａと横架部３１Ａとの間に水平方向（図３では紙面に沿う方向）の広がりを有するように架け渡されることで、この広がりの上に他の物品９２（図１参照、図１では例えばオカリナ）を載せることができるようになっている。ここで、棚部１３において物品９２が載せられる部分の高さは、人間工学に基づき、譜面台１０の使用者（図示せず）がかがむことなく物品９２を棚部１３から拾い上げることができる高さに設定されている。
【００３９】
また、棚部１３は、横架部２１Ａを第１の取り付け部として第１の突出体２０に取り付けられ、かつ、横架部３１Ａを第２の取り付け部として第２の突出体３０に取り付けられた状態となる。これにより、棚部１３は、第２の突出体３０の第１の突出体２０に対する軸周方向（図３参照）の相対的な回動位置を固定する剛性を発揮する剛性体として機能する。
【００４０】
また、棚部１３は、図８および図９に示すように、板金により平面視および底面視で略等脚台形を呈するように形成される。この等脚台形における両脚をなす縁部は、その全体がフック（図５参照）をなすように曲げられたヘミング部１３Ａとされている。このヘミング部１３Ａのフックは、それぞれ水平方向に延びだされる横架部２１Ａあるいは横架部３１Ａ（図２参照）に対して、上側から引っかかって係止することが可能なものである。また、棚部１３の等脚台形において支柱部１２（図３参照）から遠い側の底辺をなす縁部は、上方に起こしあげられるように曲げられたヘミング部１３Ｂとされている。これらのヘミング部１３Ａおよびヘミング部１３Ｂは、棚部１３の他の部分よりも上方に突出した状態（図５参照）となるように設けられる。
【００４１】
なお、棚部１３における下側の面には、この棚部１３を補強するための形鋼（図示せず）を、ねじ止めあるいは冶金的接合法によって、棚部１３の等脚台形における縁部の一部あるいは全部に沿うように取り付けることができる。
【００４２】
さて、フレーム２１において下側に位置される横架部２１Ｄとフレーム３１において下側に位置される横架部３１Ｄは、図２に示すように、その上下方向で見た位置が同じとなる辺をなすようにされている。また、これらの横架部２１Ｄと横架部３１Ｄとの間には、図１および図４に示すように、剛性体１０Ａが着脱可能（図１参照）に架け渡されている。この剛性体１０Ａは、棚部１３の下方となる位置にて第１の突出体２０および第２の突出体３０のそれぞれに取り付けられた状態となることで、第２の突出体３０の第１の突出体２０に対する軸周方向（図３参照）の相対的な回動位置を固定する剛性を発揮するぬきとして機能する。すなわち、剛性体１０Ａは、横架部２１Ｄと横架部３１Ｄとの間に架け渡されて、その剛性によって横架部３１Ｄに対する横架部２１Ｄの相対的な回動を制限する。これにより、剛性体１０Ａは、第２の突出体３０の第１の突出体２０に対する軸周方向（図３参照）の相対的な回動位置を固定する。
【００４３】
本実施形態においては、剛性体１０Ａは、平面視で棚部１３の略等脚台形と相似な略等脚台形を呈する板として形成され、その板面の上に譜面台１０のぐらつきをおさえるおもし（図示せず）を載せることができるように構成されている。また、剛性体１０Ａは、その等脚台形における両脚をなす縁部のそれぞれに沿って、スリット状の貫通孔１０Ｂを２つずつ備えた構成となっている。また、剛性体１０Ａは、図４および図６に示すように、フレーム２１の横架部２１Ｄとフレーム３１の横架部３１Ｄとにそれぞれ２つずつ（図４参照）取り付けられたフック２１Ｅ、３１Ｅを貫通孔１０Ｂに挿通させる（図６参照）ことで、第１の突出体２０および第２の突出体３０のそれぞれに取り付けられた状態となる。
【００４４】
また、剛性体１０Ａは、２つの横架部２１Ｄ、３１Ｄの間に架け渡された状態において、その等脚台形において下底をなす縁部が、２つの石突２１Ｃ、３１Ｃよりも後方に引き込まれた状態となるように配設される。演奏者（図示せず）が譜面台１０を使用する場合、この演奏者はしばしば譜面台１０と正対するが、上記構成によれば、譜面台１０と正対する演奏者のつま先が剛性体１０Ａに当たり、もって譜面台１０に衝撃が加えられることをさけることができる。
【００４５】
また、本実施形態においては、剛性体１０Ａおよび棚部１３は、その各等脚台形における下底の両端に位置する各底角が６０［°］をなすように形成されている。したがって、第２の突出体３０の第１の突出体２０に対する回動位置の固定に伴って第１の突出体２０と第２の突出体３０との間に設定される水平方向の広がりは、平面視および底面視で略正三角形を呈する。
【００４６】
ところで、上記略正三角形をなす水平方向の広がりは、その内部に幾何中心が位置されるという性質を有する。したがって、使用状態における譜面台１０の系の質量中心が棚部１３の下に位置されるように譜面台１０を設計することが可能である。この構成を実現させると、棚部１３に載せられる物品９２（図１参照）を上記質量中心の真上に位置させ、もってこの物品９２の質量によらず、物品９２にかかる重力によって譜面台１０を転倒させる向きの力のモーメントが発生することをさけることが可能となる。このような作用効果は、例えば特開２００２−３２８６７５号公報に開示のある、譜面台に設けられて物品が載せられる棚が、この棚を含む譜面台の系の質量中心から水平方向にずれた位置に位置される従来技術においては得ることができないものである。なお、上記従来技術は、棚に載せられた物品にかかる重力によって譜面台を転倒させる向きに発生する力のモーメントを、譜面台に備えられた１本の支柱部のみで支持する技術であり、それゆえに上記力のモーメントの大きさによっては譜面台の転倒をさけることができない可能性があるものである。
【００４７】
上述した各構成によれば、譜面台１０は、その棚部１３に他の物品９２が載せられたときに、この物品９２の荷重を石突２１Ｃおよび石突３１Ｃならびに支柱部１２の３つにより安定的に支持する。したがって、譜面台１０を、その棚部１３を甲板とした置き台として機能させ、もってこの譜面台１０とは別の置き台を使用する必要をなくして、この別の置き台などの、譜面台１０を使用する場所にあるものの制約をなくすことができる。
【００４８】
ここで、甲板として機能される棚部１３は、上方の保持部１１に向かって突出される支柱部１２側の縁部を除く各縁部（ヘミング部１３Ａおよびヘミング部１３Ｂ）が、他の部分よりも上方に突出した状態とされる。したがって、棚部１３において物品９２が載せられる部分を、それぞれが上方に突出される支柱部１２および上記各縁部に囲まれた状態とし、もって物品９２が棚部１３から転がり落ちることを抑制することができる。
【００４９】
また、棚部１３の高さは、この棚部１３に載せられた物品９２を譜面台１０の使用者（図示せず）がかがむことなく拾い上げることができる高さとなる。したがって、譜面台１０の保持部１１に保持された楽譜９１（図１参照）から目を離さないようにしながら、棚部１３に載せられた物品９２を拾い上げることが容易となる。また、観客の前で行う演奏会（図示せず）に譜面台１０を供する場合には、演奏中に演奏者がかがんで見苦しい状態となることをさけることができる。
【００５０】
また、上述した各構成によれば、譜面台１０において支柱部１２から突出される第１の突出体２０あるいは第２の突出体３０が邪魔になる場合に、この第１の突出体２０あるいは第２の突出体３０が邪魔になりにくくなるように譜面台１０を変形させることができる。
【００５１】
また、上述した各構成によれば、譜面台１０を使用しないときにおいて、その剛性体１０Ａおよび棚部１３を取り外して第１の突出体２０あるいは第２の突出体３０を回動させることで、譜面台１０の全体をより平面に近い形状に変形させ、もって譜面台１０を収納する際の利便性を向上させることができる。ここで、上記「より平面に近い形状」は、例えば図３に仮想線で示す、第１の突出体２０と第２の突出体３０とが同じ方向を向くように重ねられた形状、あるいは、図２に仮想線で示す、第１の突出体２０と第２の突出体３０とが反対の方向を向くように広げられた形状である。
【００５２】
また、譜面台１０を使用するときには、剛性体１０Ａおよび棚部１３の取り付けにより第１の突出体２０あるいは第２の突出体３０の回動を抑制し、もって置き台の甲板として機能される棚部１３のぐらつきを抑えることができる。
【００５３】
また、上述した各構成によれば、譜面台１０を使用するときに置き台の甲板となる棚部１３のぐらつきを抑制する機能を棚部１３自体に実現させることで、譜面台１０の部品の点数を減らし、もって譜面台１０の構成をよりシンプルなものにすることができる。
【００５４】
また、上述した各構成によれば、第１の突出体２０および第２の突出体３０をそれぞれフレーム２１、３１によって構成して空間を囲む構造を備えさせることで、譜面台１０の軽量化を図ることができる。
【００５５】
また、上述した各構成によれば、棚部１３に載せられた物品９２の荷重がかかる第１の突出体２０および第２の突出体３０の強度をすじかい２０Ｂ、３０Ｂによって向上させ、もって譜面台１０において置き台として機能される部分の耐荷重性能を向上させることができる。
【００５６】
また、上述した各構成によれば、譜面台において棚部が取り付けられる部分である横架部２１Ａ、３１Ａに不陸がないため、この不陸を調整するための部材を省略することができる。
【００５７】
〈第２の実施形態〉
続いて、第２の実施形態にかかる譜面台４０の構成について、図１０および図１１を用いて説明する。第２の実施形態にかかる譜面台４０は、第１の実施形態にかかる譜面台１０から、いくつかのパーツの取り換えあるいは省略を行った実施形態である。したがって、上記第１の実施形態にかかる譜面台１０の各構成と共通するパーツあるいは構成については、このパーツあるいは構成に付した符号と同じ符号を付して対応させ、その詳細な説明を省略する。
【００５８】
第２の実施形態の譜面台４０は、図１０に示すように、フレーム２１に１本のすじかい２０Ｂおよび２本のフック２１Ｅが取り付けられた構成（図２参照）をなす第１の突出体２０の代わりに、これらのすじかいおよびフックが省略された構成をなす第１の突出体５０を備えている。
【００５９】
また、譜面台４０は、フレーム３１に１本のすじかい３０Ｂおよび２本のフック３１Ｅが取り付けられた構成（図２参照）をなす第２の突出体３０の代わりに、これらのすじかいおよびフックが省略された構成をなす第２の突出体６０を備えている。
【００６０】
また、譜面台４０において、フレーム２１とフレーム３１との間には、板金により形成された棚部１３および板をなす剛性体１０Ａの代わりに、略等脚台形の溶接金網により形成された棚部４３のみが架け渡されている。この棚部４３は、フレーム２１の横架部２１Ａとフレーム３１の横架部３１Ａとの間に架け渡されて、これらの横架部２１Ａ、３１Ａに対して、ねじ止めあるいは冶金的接合法のいずれかの手法によって固定される。この固定は、着脱可能なものであっても着脱不可能なものであってもよい。
【００６１】
あるいは、譜面台４０において、横架部２１Ａと横架部３１Ａとの間に架け渡されるものは、これらの横架部２１Ａ、３１Ａに対して上側から引っかかって係止することが可能なフック７３Ａを備えた溶接金網である棚部７３（図１１参照）であってもよい。ここで、棚部７３は、図１１に示すように、略等脚台形をなし、この略等脚台形における両脚をなす各縁部にフック７３Ａを２つずつ備えている。また、棚部７３には、その略等脚台形における両底辺をなす各縁部に沿って、棚部７３をなす溶接金網を補強する補強部７３Ｂが設けられている。本実施形態においては、補強部７３Ｂは、２枚の平板状の辺が直角をなしてつながった形状の山形鋼である。この山形鋼は、その一方の辺が棚部７３の溶接金網に沿った状態でこの溶接金網に冶金的接合法によって固定され、他方の辺が棚部７３の溶接金網から上側に突出された状態とされる。この他方の辺は、棚部７３に物品９２が載せられた場合に、この物品９２が棚部７３から転がり落ちることを抑制する機能を発揮する。
【００６２】
〈第３の実施形態〉
続いて、第３の実施形態にかかる譜面台８０の構成について、図１２ないし図１７を用いて説明する。第３の実施形態にかかる譜面台８０は、第１の実施形態にかかる譜面台１０から、いくつかのパーツの取り換えあるいは省略を行った実施形態である。したがって、上記第１の実施形態にかかる譜面台１０の各構成と共通するパーツあるいは構成については、このパーツあるいは構成に付した符号と同じ符号を付して対応させ、その詳細な説明を省略する。
【００６３】
第３の実施形態の譜面台８０は、図１２および図１３に示すように、フレーム２１の横架部２１Ｄに２本のフック２１Ｅが取り付けられた構成（図２参照）をなす第１の突出体２０の代わりに、これらのフックが省略された構成をなす第１の突出体１００を備えている。
【００６４】
また、譜面台８０は、フレーム３１の横架部３１Ｄに２本のフック３１Ｅが取り付けられた構成（図２参照）をなす第２の突出体３０の代わりに、これらのフックが省略された構成をなす第２の突出体１１０を備えている。
【００６５】
また、譜面台８０において、フレーム２１の横架部２１Ａとフレーム３１の横架部３１Ａとの間には、図１２および図１４に示すように、その縁部の全体がフックをなすように曲げられてなるヘミング部１３Ａを有する棚部１３（図１参照）の代わりに、縁部の一部が曲げられてなるフック８３Ａを有する棚部８３が架け渡されている。この棚部８３は、１枚の金属板を板金加工することによって、平面視で略等脚台形となる板（図１４参照）として形成される。また、フック８３Ａは、棚部８３の略等脚台形における両脚をなす縁部のそれぞれに２つずつ設けられる。
【００６６】
フック８３Ａは、図１２および図１６に示すように、それぞれ水平方向に延びだされる横架部２１Ａあるいは横架部３１Ａ（図１６では横架部２１Ａ）に対して、上側から引っかかって係止するようになっている。
【００６７】
ここで、棚部８３は、その等脚台形における各底辺をなす縁部が、上方に起こしあげられるように曲げられた（図１６参照）ヘミング部８３Ｂとされ、もって棚部８３における耐荷重性能が向上されている。また、フック８３Ａは、棚部８３の板における上側の板面よりも上方に突出した状態とされる。これにより、フック８３Ａは、横架部２１Ａおよび横架部３１Ａに対して上側から引っかかって係止したときに、これらの横架部２１Ａ、３１Ａが棚部８３の略等脚台形における両脚をなす縁部に沿う位置から上方に突出した状態となるようにする。
【００６８】
上記各構成によれば、甲板として機能される棚部８３において物品９２が載せられる部分を、この部分よりも上方に突出されるヘミング部８３Ｂおよび各横架部２１Ａ、３１Ａに囲まれた状態とし、もって物品９２が棚部８３から転がり落ちることを抑制することができる。
【００６９】
また、譜面台８０において、フレーム２１の横架部２１Ｄとフレーム３１の横架部３１Ｄとの間には、図１２および図１５に示すように、フック２１Ｅ、３１Ｅにより取り付けられる剛性体１０Ａ（図４参照）の代わりに、各横架部２１Ｄ、３１Ｄに係止することが可能なフック８０Ｂが設けられた剛性体８０Ａが架け渡されている。この剛性体８０Ａは、１枚の金属板を板金加工することによって、平面視で略等脚台形となる板（図１５参照）として形成される。また、剛性体８０Ａのフック８０Ｂは、剛性体８０Ａの略等脚台形における両脚をなす縁部のそれぞれに２つずつ設けられる。これらのフック８０Ｂは、それぞれ水平方向に延びだされる横架部２１Ｄあるいは横架部３１Ｄ（図１７では横架部２１Ｄ）に対して、上側から引っかかって係止するようになっている。
【００７０】
また、剛性体８０Ａの等脚台形における各底辺をなす縁部は、上方に起こしあげられるように曲げられた（図１７参照）ヘミング部８０Ｃとされている。このヘミング部８０Ｃは、剛性体８０Ａにおける耐荷重性を向上させ、もって剛性体８０Ａの板面の上に譜面台８０のぐらつきをおさえるおもし９３を載せることを可能とする。ここで、おもし９３は、例えば譜面台８０を使用する演奏者（図示せず）の手荷物など、任意の物品であってよい。この場合において、上方に起こしあげられたヘミング部８０Ｃは、おもし９３となる物品が剛性体８０Ａから転がり落ちることを抑制する機能を発揮する。
【００７１】
ここで、剛性体８０Ａは、図１５に示すように、２つの横架部２１Ｄ、３１Ｄの間に架け渡された状態において、２つの石突２１Ｃ、３１Ｃと支柱部１２の下部１２Ｂとに囲まれて設定される、略正三角形をなす水平方向の広がりにおける幾何中心８０Ｄを占めるように配設される。これにより、剛性体８０Ａは、譜面台８０のぐらつきをおさえるおもし９３が存在する場合に、このおもし９３を幾何中心８０Ｄの位置にセットすることを可能とするセット構造として機能する。
【００７２】
上述した各構成によれば、譜面台８０においてセット構造となる剛性体８０Ａにおもし９３をセットすることで、このおもし９３と譜面台８０とからなる系の質量中心が、この系において荷重を支持する石突２１Ｃおよび石突３１Ｃならびに支柱部１２の下部１２Ｂの３つに囲まれてなる略正三角形の水平方向の広がりにおける幾何中心８０Ｄに近づけられる。したがって、おもし９３にこのおもし９３と譜面台８０とからなる系のすわりをよくする機能を発揮させ、もって譜面台８０を転倒しにくくすることができる。
【００７３】
ところで、上記正三角形をなす水平方向の広がりは、その内部に幾何中心８０Ｄが位置されるという性質を有する。したがって、上記質量中心が棚部８３の下に位置されるようにおもし９３をセットした状態にすることが可能である。この状態を実現させると、棚部８３に載せられる物品９２（図１２参照）を上記質量中心の真上に位置させ、もってこの物品９２の質量によらず、物品９２にかかる重力によって譜面台８０を転倒させる向きの力のモーメントが発生することをさけることが可能となる。このような作用効果は、例えば特開２００２−３２８６７５号公報に開示のある、譜面台に設けられて物品が載せられる棚が、この棚を含む譜面台の系の質量中心から水平方向にずれた位置に位置される従来技術においては得ることができないものである。なお、上記従来技術は、棚に載せられた物品にかかる重力によって譜面台を転倒させる向きに発生する力のモーメントを、譜面台に備えられた１本の支柱部のみで支持する技術であり、それゆえに上記力のモーメントの大きさによっては譜面台の転倒をさけることができない可能性があるものである。
【００７４】
また、剛性体８０Ａは、２つの横架部２１Ｄ、３１Ｄの間に架け渡された状態において、その等脚台形において下底をなす縁部が、２つの石突２１Ｃ、３１Ｃよりも後方に引き込まれた状態となるように配設される。演奏者（図示せず）が譜面台８０を使用する場合、この演奏者はしばしば譜面台８０と正対するが、上記構成によれば、譜面台８０と正対する演奏者のつま先が剛性体８０Ａに当たり、もって譜面台８０に衝撃が加えられることをさけることができる。
【００７５】
〈第４の実施形態〉
続いて、第４の実施形態にかかる譜面台１２０の構成について、図１８および図１９を用いて説明する。第４の実施形態にかかる譜面台１２０は、第１の実施形態にかかる譜面台１０から、いくつかのパーツの取り換えあるいは省略を行った実施形態である。したがって、上記第１の実施形態にかかる譜面台１０の各構成と共通するパーツあるいは構成については、このパーツあるいは構成に付した符号と同じ符号を付して対応させ、その詳細な説明を省略する。
【００７６】
第４の実施形態の譜面台１２０は、図１８および図１９に示すように、ちょうつがい２０Ａを介して支柱部１２の下部１２Ｂに取り付けられる第１の突出体２０（図２参照）の代わりに、フレームの各横架部（図１８では横架部２１Ａ）が支柱部１２の下部１２Ｂに直接固定された構成をなす第１の突出体１３０を備えている。ここで、第１の突出体１３０は、そのフレームの各横架部（図１８では横架部２１Ａ）における支柱部１２の下部１２Ｂ側の端が、この下部１２Ｂに対して冶金的接合法（具体的には例えば溶接）により固定されることで、この下部１２Ｂに対して回動不可能とされる。
【００７７】
また、譜面台１２０は、ちょうつがい３０Ａを介して支柱部１２の下部１２Ｂに取り付けられる第２の突出体３０（図２参照）の代わりに、複数（本実施形態では４つ）のすべり軸受１４０Ａを介して支柱部１２の下部１２Ｂに取り付けられる第２の突出体１４０を備えている。ここで、第２の突出体１４０は、すべり軸受１４０Ａおよびこのすべり軸受１４０Ａに固定されるフレームの各横架部（図１８では横架部１４１Ａ）の構成を除いて、上述した第２の突出体３０（図２参照）と同じ構成を有している。したがって、第２の突出体１４０において、上記第２の突出体３０と同じ構成については、その図示および詳細な説明を省略する。
【００７８】
各すべり軸受１４０Ａは、支柱部１２の下部１２Ｂに挿通されて、この下部１２Ｂに対して回動自在な状態に取り付けられる。また、各すべり軸受１４０Ａは、２つが１組とされて、その組で第１の突出体１３０におけるフレームの各横架部（図１８では横架部２１Ａ）を上下方向（図１８では上下方向）から挟むように配設される。また、上記各すべり軸受１４０Ａの組には、第２の突出体１４０におけるフレームの横架部（図１８では横架部１４１Ａ）が固定される。ここで、上記横架部は、そのすべり軸受１４０Ａ側の端が上下方向に幅広とされた連結部とされて、この連結部が組をなす２つのすべり軸受１４０Ａの側面に架け渡されて固定される。図１８には、第２の突出体１４０の横架部１４１Ａにおけるすべり軸受１４０Ａ側の端が上下方向に幅広とされた連結部１４１Ｆとされて、この連結部１４１Ｆが第１の突出体１３０の横架部２１Ａを上下方向から挟む２つのすべり軸受１４０Ａに架け渡されて固定された状態が示されている。
【００７９】
上記各構成によれば、すべり軸受１４０Ａの組とこの組に連結部を介して固定される横架部とを１つのヨーク部品として機能させ、もってこの横架部を支柱部１２の下部１２Ｂに対して回動自在とすることと、上記横架部の上下方向の位置決めとが実現される。言いかえると、譜面台１２０において、支柱部１２の下部１２Ｂを芯棒とし、この芯棒に第２の突出体１４０を羽根として取り付けたちょうつがいの構造が実現される。したがって、第２の突出体１４０を第１の突出体１３０および支柱部１２の下部１２Ｂに対して回動させることで、譜面台１２０をより平面に近い形状に変形させることができる。
【００８０】
〈第５の実施形態〉
続いて、第５の実施形態にかかる譜面台１５０の構成について、図２０および図２１を用いて説明する。第５の実施形態にかかる譜面台１５０は、第１の実施形態にかかる譜面台１０から、いくつかのパーツの取り換えあるいは省略を行った実施形態である。したがって、上記第１の実施形態にかかる譜面台１０の各構成と共通するパーツあるいは構成については、このパーツあるいは構成に付した符号と同じ符号を付して対応させ、その詳細な説明を省略する。
【００８１】
第５の実施形態の譜面台１５０は、図２０および図２１に示すように、ちょうつがい２０Ａを介して支柱部１２の下部１２Ｂに取り付けられる第１の突出体２０（図２参照）の代わりに、フレームの各横架部（図２０では横架部２１Ａ）が支柱部１２の下部１２Ｂに複数（本実施形態では４つ）のスリーブ１６０Ａを介して固定された構成をなす第１の突出体１６０を備えている。ここで、各スリーブ１６０Ａは、支柱部１２の下部１２Ｂに挿通される筒をなし、この下部１２Ｂに対して圧着されることで、下部１２Ｂに対して回動不可能な状態に固定される。なお、各スリーブ１６０Ａは、その筒がかしめられることで支柱部１２の下部１２Ｂに圧着されるスリーブである圧着スリーブであっても、支柱部１２の下部１２Ｂに対してしまりばめのはめあいにより圧着されるスリーブであってもよい。
【００８２】
また、譜面台１５０は、ちょうつがい３０Ａを介して支柱部１２の下部１２Ｂに取り付けられる第２の突出体３０（図２参照）の代わりに、複数（本実施形態では２つ）のすべり軸受１７０Ａを介して支柱部１２の下部１２Ｂに取り付けられる第２の突出体１７０を備えている。ここで、各すべり軸受１７０Ａは、支柱部１２の下部１２Ｂに挿通されて、この下部１２Ｂに対して回動自在な状態に取り付けられる。また、各すべり軸受１７０Ａには、第２の突出体１７０におけるフレームの各横架部（図２０では横架部３１Ａ）が冶金的接合法（具体的には例えば溶接）により直接固定される。これにより、第２の突出体１７０は、支柱部１２の下部１２Ｂに対して回動自在とされる。なお、第２の突出体１７０は、その各横架部がすべり軸受１７０Ａに固定される構成を除いて、上述した第２の突出体３０（図２参照）と同じ構成を有している。したがって、第２の突出体１７０において、上記第２の突出体３０と同じ構成については、その図示および詳細な説明を省略する。
【００８３】
ところで、各スリーブ１６０Ａは、２つが１組とされて、その組で支柱部１２の下部１２Ｂに挿通されたすべり軸受１７０Ａを上下方向（図２０では上下方向）から挟むように配設される。これにより、各スリーブ１６０Ａの組は、すべり軸受１７０Ａの上下方向の位置決めを行う。また、すべり軸受１７０Ａを上下方向に挟むスリーブ１６０Ａには、上下方向に延びるように配設された平板をなす連結板１６０Ｃが架け渡される。この連結板１６０Ｃは、その一方側の板面が組をなすスリーブ１６０Ａの各側面に冶金的接合法（具体的には例えば溶接）により固定される。また、連結板１６０Ｃにおいてスリーブ１６０Ａとは反対側となる他方側の板面には、第１の突出体１６０の横架部（図２１では横架部２１Ａ）における２つの端のうちスリーブ１６０Ａ側となる端が、冶金的接合法（具体的には例えば溶接）により固定される。これにより、第１の突出体１６０は、支柱部１２の下部１２Ｂに対して回動不可能に固定される。
【００８４】
上記各構成によれば、譜面台１５０において、支柱部１２の下部１２Ｂを芯棒とし、この芯棒に第２の突出体１７０を羽根として取り付けたちょうつがいの構造が実現される。したがって、第２の突出体１７０を第１の突出体１６０および支柱部１２の下部１２Ｂに対して回動させることで、譜面台１５０をより平面に近い形状に変形させることができる。
【００８５】
本発明は、上述した第１ないし第５の実施形態で説明した外観、構成に限定されず、本発明の要旨を変更しない範囲で種々の変更、追加、削除が可能である。例えば、以下のような各種の形態を実施することができる。
【００８６】
（１）譜面台の棚部は、第２の突出体の第１の突出体に対する軸周方向の相対的な回動位置を固定する剛性を発揮する剛性体として機能されるものに限定されない。すなわち、上記剛性体として機能される部材が棚部とは別の部材として存在する場合には、この棚部を柔軟性のある網もしくはシートによって形成されたものとすることができる。また、譜面台の棚部は、板金あるいは金網などの金属からなるものに限定されず、プラスチックなどの種々の材料からなるものとすることができる。また、譜面台の棚部は、平面視で略等脚台形をなすものである必要はなく、その形状は適宜変更することができる。
【００８７】
（２）第１の突出体および第２の突出体は、そのうち片方あるいは両方が支柱部に対して回動不可能に固定されていてもよい。ここで、第１の突出体および第２の突出体のうち、一方が支柱部に回動不可能に固定され、他方が回動可能とされている場合は、この他方を上記一方および支柱部に対して回動させることで、譜面台をより平面に近い形状に変形させることができる。
【００８８】
（３）第１の突出体および第２の突出体は、上下方向で見た位置が同じとなる位置にそれぞれ水平方向に同じ長さだけ延びる横架部を備えたフレームによって構成されているものに限定されない。すなわち、第１の突出体あるいは第２の突出体において、棚部が取り付けられる第１の取り付け部あるいは第２の取り付け部は、上下方向の位置が違うように設けられた横架部であってもよい。また、第１の突出体における第１の取り付け部あるいは第２の突出体における第２の取り付け部は、フレームにおいて上下方向の不陸を有する横架部であってもよい。これらの場合において、棚部には、上記不陸または上下方向の位置の違いを調整するための部材を設けることが好ましい。また、第１の突出体あるいは第２の突出体は、空間を囲む構造がない中実の板であってもよく、その第１の取り付け部あるいは第２の取り付け部は、例えば列をなす係止突起または係止穴など、種々の形態に変更することができる。また、第１の突出体および第２の突出体は、支柱部からその軸形状の径方向に突出される長さが互いに異なるものであってもよい。
【００８９】
（４）第１の突出体あるいは第２の突出体において、その取り付け対象となる支柱部を固定節としたリンク機構を採用し、もって第１の突出体あるいは第２の突出体が支柱部の軸形状の径方向に進退されるように回動できるようにした変形例を採用することができる。この場合において、第１の突出体あるいは第２の突出体が、そのたてかまちを中間節とし、この中間節を上方の支柱部側に移動させることが可能な平行リンク機構であるときには、この平行リンク機構によって構成される第１の突出体あるいは第２の突出体を回動させて、支柱部に沿って折りたたまれた状態に変形させることができる。
【００９０】
（５）第１の突出体および第２の突出体を支柱部に対してその軸形状の軸周方向に回動可能とする構成は、第１の突出体および第２の突出体のそれぞれを、ちょうつがいを介して支柱部に取り付ける構成に限定されない。すなわち、例えば支柱部を芯棒として、この芯棒に第１の突出体および第２の突出体のそれぞれを羽根として取り付けたちょうつがいの構造により、第１の突出体および第２の突出体を支柱部に対してその軸形状の軸周方向に回動可能とする構成を採用することができる。
【００９１】
（６）第１の突出体および第２の突出体は、そのうち片方あるいは両方がテレスコピック構造を備えて、このテレスコピック構造により上下方向あるいは支柱部の軸形状の径方向に伸び縮み可能とされたものであってもよい。
【００９２】
（７）譜面台において、棚部とは別に存在する剛性体の形状は、例えば棒状を含む任意の形状に変更することができる。また、譜面台における剛性体の数は特に限定されず、適宜に変更することができる。
【符号の説明】
【００９３】
１０      譜面台
１０Ａ    剛性体
１０Ｂ    貫通孔
１１      保持部
１１Ａ    リンク機構
１１Ｂ    リンク機構
１１Ｃ    固定節
１２      支柱部
１２Ａ    上部
１２Ｂ    下部
１３      棚部（剛性体）
１３Ａ    ヘミング部
１３Ｂ    ヘミング部
２０      第１の突出体
２０Ａ    ちょうつがい
２０Ｂ    すじかい
２１      フレーム
２１Ａ    横架部（第１の取り付け部）
２１Ｂ    たてかまち
２１Ｃ    石突（第１の支持部）
２１Ｄ    横架部
２１Ｅ    フック
３０      第２の突出体
３０Ａ    ちょうつがい
３０Ｂ    すじかい
３１      フレーム
３１Ａ    横架部（第２の取り付け部）
３１Ｂ    たてかまち
３１Ｃ    石突（第２の支持部）
３１Ｄ    横架部
３１Ｅ    フック
４０      譜面台
４３      棚部（剛性体）
５０      第１の突出体
６０      第２の突出体
７３      棚部（剛性体）
７３Ａ    フック
７３Ｂ    補強部
８０      譜面台
８０Ａ    剛性体（セット構造）
８０Ｂ    フック
８０Ｃ    ヘミング部
８０Ｄ    幾何中心
８３      棚部（剛性体）
８３Ａ    フック
８３Ｂ    ヘミング部
９０      載置体
９１      楽譜
９２      物品
９３      おもし
１００    第１の突出体
１１０    第２の突出体
１２０    譜面台
１３０    第１の突出体
１４０    第２の突出体
１４０Ａ  すべり軸受
１４１Ａ  横架部
１４１Ｆ  連結部
１５０    譜面台
１６０    第１の突出体
１６０Ａ  スリーブ
１６０Ｃ  連結板
１７０    第２の突出体
１７０Ａ  すべり軸受
【図１】
2020178911.tif 000003
【図２】
2020178911.tif 000004
【図３】
2020178911.tif 000005
【図４】
2020178911.tif 000006
【図５】
2020178911.tif 000007
【図６】
2020178911.tif 000008
【図７】
2020178911.tif 000009
【図８】
2020178911.tif 000010
【図９】
2020178911.tif 000011
【図１０】
2020178911.tif 000012
【図１１】
2020178911.tif 000013
【図１２】
2020178911.tif 000014
【図１３】
2020178911.tif 000015
【図１４】
2020178911.tif 000016
【図１５】
2020178911.tif 000017
【図１６】
2020178911.tif 000018
【図１７】
2020178911.tif 000019
【図１８】
2020178911.tif 000020
【図１９】
2020178911.tif 000021
【図２０】
2020178911.tif 000022
【図２１】
2020178911.tif 000023